(57)【要約】      （修正有）【課題】交流側に地絡を生じて動作を停止した場合であっても、事故解消後早急に運転を再開することができる電力変換装置を提供する。【解決手段】電力変換装置１０は、直流電圧と交流電圧との間で双方向に電力を変換可能な電力変換装置である。電力変換装置は、スイッチング素子によって充放電を切り替え可能とされたコンデンサを含むセル２２が直列に接続されたアーム２６ａ〜２６ｆを含む電力変換部２０と、前記スイッチング素子を駆動して前記セルの電圧を制御する制御部４０と、を備える。前記制御部は、前記交流電圧の値があらかじめ設定された第１しきい値よりも低い場合に、前記スイッチング素子を遮断する停止信号を生成する事故判別部４６を含む。【選択図】図１
2019022313.tif 000002
【特許請求の範囲】
【請求項１】
直流電圧と交流電圧との間で双方向に電力を変換可能な電力変換装置であって、
スイッチング素子によって充放電を切り替え可能とされたコンデンサを含むセルが直列に接続されたアームを含む電力変換部と、
前記スイッチング素子を駆動して前記コンデンサの電圧を制御する制御部と、
を備え、
前記制御部は、前記交流電圧の値があらかじめ設定された第１しきい値よりも低い場合に、前記スイッチング素子を遮断する停止信号を生成する事故判別部を含む電力変換装置。
【請求項２】
前記第１しきい値は、前記交流電圧の各相の電圧の瞬時値に応じて設定された交流信号である請求項１記載の電力変換装置。
【請求項３】
前記事故判定部は、
前記交流信号を生成するしきい値電圧生成部と、
前記しきい値電圧生成部に接続され、前記交流電圧の瞬時値と前記交流信号とを比較する比較器と、
を含む請求項１または２に記載の電力変換装置。
【請求項４】
前記事故判定部は、
前記交流電圧を回転座標変換する第１演算器を含み、
前記第１演算器から出力される互いに直交する２つの出力電圧ベクトルのうち少なくとも１つにもとづいて、前記停止信号を生成する請求項１記載の電力変換装置。
【請求項５】
前記事故判定部は、
あらかじめ設定された第２しきい値電圧を出力する第２しきい値電圧生成部と、
前記第２しきい値電圧生成部に接続され、前記第２しきい値電圧と前記２つの出力電圧ベクトルのうちの１つの電圧値とを比較する第２比較器と、
を含む請求項４記載の電力変換装置。
【請求項６】
前記事故判定部は、
あらかじめ設定された第３しきい値電圧を出力する第３しきい値電圧生成部と、
前記第３しきい値電圧生成部に接続され、前記第３しきい値電圧と前記１つの電圧値とを比較して第１状態または第１状態とは異なる第２状態を出力する第３比較器と、
前記第１状態または前記第２状態のうちいずれか一方があらかじめ設定された遅延時間以上継続したときに前記停止信号を生成するディレイ回路と、
を含む請求項５記載の電力変換装置。
【請求項７】
前記事故判定部は、変換すべき前記電力が、前記電力に関するしきい値以上の場合に前記停止信号を生成する請求項４〜６のいずれか１つに記載の電力変換装置。
【請求項８】
前記事故判定部は、前記コンデンサの両端の電圧が、前記コンデンサの両端の電圧に関する第４しきい値電圧以上の場合に前記停止信号を生成する請求項４〜７のいずれか１つに記載の電力変換装置。
【請求項９】
前記事故判定部は、前記２つの出力電圧ベクトルの合成ベクトルの大きさにもとづいて前記停止信号を生成する請求項４記載の電力変換装置。
【発明の詳細な説明】
【技術分野】
【０００１】
本発明の実施形態は、電力変換装置に関する。
【背景技術】
【０００２】
交流電力を直流電力に変換し、または直流電力を交流電力に変換する双方向の電力変換装置がある。このような電力変換装置の大容量化が望まれている。
【０００３】
自己消弧形の半導体スイッチング素子を用いることによって小型化をはかりつつ、大容量化を実現することができる電力変換方式として、モジュラーマルチレベルコンバータ（Modular Multilevel Converter、以下、ＭＭＣという。）の実用化が進められている。
【０００４】
このような大容量の電力変換装置は、基幹となる電力系統等で用いられる場合があるので、交流側や直流側に地絡等の事故を生じ、動作を停止した場合であっても、事故解消時に速やかに運転を再開することが求められる。
【先行技術文献】
【特許文献】
【０００５】
【特許文献１】特開平１１−５５８５２号公報
【非特許文献】
【０００６】
【非特許文献１】柴野  勇士、太田  ジョン  豊、赤木  泰文  著、「モジュラー・マルチレベル・カスケード変換器（ＭＭＣＣ−ＳＳＢＣ）を用いた位相シフトＰＷＭ  ＳＴＡＴＣＯＭ  −瞬時電圧低下時の運転継続性能の実験的検討−」、電気学会研究会資料．  ＳＰＣ，  半導体電力変換研究会  ２０１３（１），  ７１−７６，  ２０１３−０１−２５
【発明の概要】
【発明が解決しようとする課題】
【０００７】
実施形態は、交流側に地絡を生じて動作を停止した場合であっても、事故解消後早急に運転を再開することができる電力変換装置を提供する。
【課題を解決するための手段】
【０００８】
実施形態に係る電力変換装置は、直流電圧と交流電圧との間で双方向に電力を変換可能である。前記電力変換装置は、スイッチング素子によって充放電を切り替え可能とされたコンデンサを含むセルが直列に接続されたアームを含む電力変換部と、前記スイッチング素子を駆動して前記コンデンサの電圧を制御する制御部と、を備える。前記制御部は、前記交流電圧の値があらかじめ設定された第１しきい値よりも低い場合に、前記スイッチング素子を遮断する停止信号を生成する事故判別部を含む。
【図面の簡単な説明】
【０００９】
【図１】第１の実施形態に係る電力変換装置を例示するブロック図である。
【図２】図２（ａ）および図２（ｂ）は、第１の実施形態の電力変換装置の一部を例示するブロック図である。
【図３】第１の実施形態の電力変換装置の一部を例示するブロック図である。
【図４】第１の実施形態の電力変換装置の一部の動作波形の例を示す波形図である。
【図５】直流送電システムを例示するブロック図である。
【図６】第２の実施形態に係る電力変換装置を例示するブロック図である。
【図７】第２の実施形態の電力変換装置の一部を例示するブロック図である。
【図８】図８（ａ）〜図８（ｃ）は、第２の実施形態の電力変換装置の動作を説明するための波形図の例である。
【図９】第３の実施形態に係る電力変換装置の一部を例示するブロック図である。
【発明を実施するための形態】
【００１０】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１１】
（第１の実施形態）
図１は、本実施形態に係る電力変換装置を例示するブロック図である。
図２（ａ）、図２（ｂ）および図３は、本実施形態の電力変換装置の一部を例示するブロック図である。
図１に示すように、本実施形態の電力変換装置１０は、電力変換部２０と、制御部４０と、を備える。電力変換装置１０は、直流端子２１ａ，２１ｂを介して、直流電源または直流負荷（いずれも図示せず）に接続される。電力変換装置１０は、交流端子２１ｃ〜２１ｅを介して電力系統２に接続される。この例のように、電力変換装置１０と電力系統２との間に変圧器４を接続してもよい。電力変換装置１０は、電力系統２から供給される交流電力を、直流電力に変換して出力する。また、電力変換装置１０は、直流電力を交流電力に変換して、電力系統２に供給する。
【００１２】
電力変換部２０は、直流端子２１ａ，２１ｂと、交流端子２１ｃ〜２１ｅと、を含む。直流端子２１ａは、直流電源または直流負荷のｐ（Positive）側に接続され、直流端子２１ｂは、直流電源または直流負荷のｎ（Negative）側に接続される。交流端子２１ｃ〜２１ｅは、三相交流の各相（Ｕ相、Ｖ相およびＷ相）に接続される。交流端子２１ｃ〜２１ｅは、電力の入力端子ともなり、出力端子ともなる。直流端子２１ａ，２１ｂは、交流端子２１ｃ〜２１ｅが電力の入力端子のときには、出力端子となり、交流端子２１ｃ〜２１ｅが電力の出力端子のときには、入力端子となる。
【００１３】
電力変換部２０は、チョッパセル２２と、バッファリアクトル２４ａ〜２４ｆと、を含む。電力変換部２０は、チョッパセル２２を複数個含んでいる。電力変換部２０は、アーム２６ａ〜２６ｆを含む。各アーム２６ａ〜２６ｆは、それぞれ同数かつ複数個のチョッパセル２２を含んでおり、チョッパセル２２は直列に接続されている。アームは直列に接続されている。直列に接続されたアーム２６ａ，２６ｂは、ｐ側の直流端子２１ａとｎ側の直流端子２１ｂとの間に接続されている。アーム２６ａは、アーム２６ｂよりも高電位側に接続されている。
【００１４】
アーム２６ｃ，２６ｄおよびアーム２６ｅ，２６ｆもアーム２６ａ，２６ｂと同様に、直流端子２１ａ，２１ｂ間に直列に接続されている。
【００１５】
バッファリアクトル２４ａ〜２４ｆは、各アームと各交流端子との間で各アームに直列に接続されている。具体的には、バッファリアクトル２４ａは、アーム２６ａと交流端子２１ｃとの間でアーム２６ａに直列に接続され、バッファリアクトル２４ｂは、交流端子２１ｃとアーム２６ｂとの間でアーム２６ｂに直列に接続されている。また、バッファリアクトル２４ｃは、アーム２６ｃと交流端子２１ｄとの間でアーム２６ｃに直列に接続され、バッファリアクトル２４ｄは、交流端子２１ｄとアーム２６ｄとの間でアーム２６ｄに直列に接続されている。さらにバッファリアクトル２４ｅは、アーム２６ｅと交流端子２１ｅとの間でアーム２６ｅに直列に接続され、バッファリアクトル２４ｆは、交流端子２１ｅとアーム２６ｆとの間でアーム２６ｆに直列に接続されている。バッファリアクトル２４ａ〜２４ｆは、上下のアームに直流の短絡電流が流れることを防止する。
【００１６】
Ｕ相に直列接続された上下のアーム２６ａ，２６ｂをレグ２８ａと呼ぶ。つまり、レグ２８ａは、直列に接続されたアーム２６ａ，２６ｂを含む。同様に、Ｖ相に接続された上下のアーム２６ｃ，２６ｄ、Ｗ相に接続された上下のアーム２６ｄ，２６ｆをそれぞれレグ２８ｂ，２８ｃと呼ぶ。電力変換部２０は、直流端子２１ａ，２１ｂ間に、三相交流の各相に接続されたレグ２８ａ，２８ｂ，２８ｃを含んでいる。
【００１７】
図２（ａ）に示すように、チョッパセル２２は、スイッチング素子３１，３２と、ダイオード３３，３４と、コンデンサ３５と、を含む。スイッチング素子３１，３２は、たとえばＩＧＢＴ（Insulated Gate Bipolar Transistor）やＩＥＧＴ（Injection Enhanced Gate Transistor）、ＭＯＳＦＥＴ（Metal Oxide Semiconductor Field Effect Transistor）等の自己消弧形の半導体スイッチング素子である。ダイオード３３，３４は、たとえばファストリカバリダイオードである。スイッチング素子３１とダイオード３３は逆並列に接続されている。つまり、スイッチング素子３１のエミッタとダイオード３３のアノードが接続され、スイッチング素子３１のコレクタとダイオード３３のカソードが接続されている。同様に、スイッチング素子３２とダイオード３４は逆並列に接続されている。
【００１８】
スイッチング素子３１，３２は、直列接続されている。すなわち、スイッチング素子３１のエミッタとスイッチング素子３２のコレクタが接続されている。
【００１９】
直列接続されたスイッチング素子３１，３２は、コンデンサ３５に並列に接続されている。すなわち、スイッチング素子３１のコレクタがコンデンサ３５の一方の端子に接続され、スイッチング素子３２のエミッタがコンデンサ３５の他方の端子に接続されている。
【００２０】
チョッパセル２２は、スイッチング素子３１，３２を交互に適切に駆動することによって、端子２３ａ，２３ｂを介して、コンデンサ３５を充放電する。スイッチング素子３１，３２は、適切に駆動されスイッチングすることによって、コンデンサ３５の両端の電圧を所望の値に制御する。コンデンサ３５は、端子２３ａが端子２３ｂよりも高電位になるように充電される。
【００２１】
チョッパセル２２は、端子２３ａ，２３ｂを介して、他のチョッパセル２２と直列に接続され、他の外部回路に接続される。チョッパセル２２が他のチョッパセル２２と直列に接続されるときには、チョッパセル２２の端子２３ｂに、他のチョッパセル２２の端子２３ａを接続する。
【００２２】
各チョッパセル２２のコンデンサ３５の両端には、電圧検出器３６が接続されており、電圧検出器３６によって各コンデンサ３５両端の電圧値が検出される。以下では、コンデンサ３５の両端の電圧をセル電圧Ｖｃｅｌｌと呼ぶ。検出されたセル電圧Ｖｃｅｌｌは、アナログディジタル変換されて、ディジタルデータとして扱われる。
【００２３】
チョッパセルの構成は、上述に限らず他の構成としてもよい。図２（ｂ）に示すように、チョッパセル１２２は、４つのスイッチング素子１３１〜１３４を含む。４つのスイッチング素子１３１〜１３３はフルブリッジ回路をなしている。すなわち、ハイサイドのスイッチング素子１３１にローサイドのスイッチング素子１３２が直列に接続され、ハイサイドのスイッチング素子１３３にローサイドのスイッチング素子１３４が直列に接続されている。そして、これら直列接続回路同士は並列に接続されている。コンデンサ１３９は、直列接続回路に並列に接続されている。
【００２４】
各スイッチング素子１３１〜１３４には、それぞれ逆並列にダイオード１３５〜１３８が接続されている。
【００２５】
コンデンサ１３９の充電および放電は、端子１２３ａ，１２３ｂを介して行われる。チョッパセル１２２は、他のチョッパセル１２２と端子１２３ａ，１２３ｂを介して接続される。
【００２６】
電力変換部２０のチョッパセル２２は、上述のチョッパセル１２２にすべて置き換えてもよい。フルブリッジ形のチョッパセル１２２では、コンデンサ１３９の両端の電圧の制御幅を広くとることができる。
【００２７】
図１に戻って説明を続ける。電力変換部２０は、交流電圧検出器２９ｕ，２９ｖ，２９ｗを含む。交流電圧検出器２９ｕ，２９ｖ，２９ｗは、それぞれ交流端子２１ｃ，２１ｄ，２１ｅに接続されている。交流電圧検出器２９ｕは、電力系統２のＵ相の電圧を検出する。交流電圧検出器２９ｖは、電力系統２のＶ相の電圧を検出する。交流電圧検出器２９ｗは、電力系統２のＷ相の電圧を検出する。検出された各相の検出電圧Ｖｓｕ，Ｖｓｖ，Ｖｓｗは、制御部４０に送出される。
【００２８】
電力変換部２０は、直流電圧検出器３０を含む。直流電圧検出器３０は、直流端子２１ａ，２１ｂ間に接続されている。直流電圧検出器３０は、電力変換部２０に入力され、または電力変換部２０から出力される直流電圧Ｖｄｃを検出して、制御部４０に送出する。
【００２９】
制御部４０は、電力制御回路４２と、ＰＷＭ回路４４と、事故判別回路４６と、を含む。制御部４０は、直流端子２１ａ，２１ｂ間の直流電圧Ｖｄｃ、各セル電圧Ｖｃｅｌｌ、電力系統２の各相の検出電圧Ｖｓｕ，Ｖｓｖ，Ｖｓｗ、および直流電流指令値Ｉｄｃを入力して、電力変換部２０の各チョッパセル２２のスイッチング素子に駆動信号Ｖｇａｔｅを供給する。
【００３０】
電力制御回路４２は、直流端子２１ａ，２１ｂ間の直流電圧Ｖｄｃ、電力系統２の各相の検出電圧Ｖｓｕ，Ｖｓｖ，Ｖｓｗ、および直流電流指令値Ｉｄｃにもとづいて、各相の電圧に対応する電圧指令値を生成する。各相の電圧指令値は、各相の検出電圧Ｖｓｕ，Ｖｓｖ，Ｖｓｗをそれぞれ対応するレグのセル電圧Ｖｃｅｌｌの平均値で除することによって求められる。
【００３１】
ＰＷＭ回路４４は、電力制御回路４２に接続されている。図３に示すように、ＰＷＭ回路４４は、比較器５１−１〜５１−６Ｎと、キャリア信号生成部５２−１〜５２−６Ｎと、ＡＮＤ回路５３−１〜５３−６Ｎと、を含む。キャリア信号生成部５２−１〜５２−６Ｎは、比較器５１−１〜５２−６Ｎごとに設けられている。ＡＮＤ回路５３−１〜５３−６Ｎは、比較器５１−１〜５１−６Ｎごとに設けられている。つまり、比較器、キャリア信号生成部およびＡＮＤ回路は、チョッパセル２２の個数に応じて、６×Ｎ組設けられている。Ｎは、各アーム２６ａ〜２６ｆに含まれるチョッパセル２２の数である。
【００３２】
電力制御回路４２は、電力系統２の三相交流の各相に対応する電圧指令値を出力する。比較器５１−１の一方には、電力制御回路４２から出力される電圧指令値のうちの１つが入力される。比較器５１−１の他方には、キャリア信号生成部５２−１の出力が供給される。
【００３３】
キャリア信号生成部５２−１〜５２−６Ｎは、同一の周波数および振幅で、異なる位相を有するたとえば三角波をそれぞれ出力する。
【００３４】
比較器５１−１〜５１−６Ｎは、キャリア信号である三角波と電圧指令値とを比較し、それぞれ対応するチョッパセル２２のスイッチング素子３１，３２のオン時間およびオフ時間を設定する。このように、本実施形態の電力変換装置１０は、位相シフト方式により制御される。
【００３５】
比較器５１−１〜５１−６Ｎの出力は、ＡＮＤ回路５３−１〜５３−６Ｎの一方の入力にそれぞれ接続されている。ＡＮＤ回路５３−１〜５３−６Ｎの他方の入力には、事故判別回路４６の出力がそれぞれ接続されている。比較器５１−１〜５１−６Ｎの出力は、事故判別回路４６の出力がハイレベルの場合には、三角波と電圧指令値との比較によって設定される信号が出力される。事故判別回路４６の出力がローレベルの場合には、比較器５１−１〜５１−６Ｎの比較結果にかかわらず、ＡＮＤ回路５３−１〜５３−６Ｎの出力のすべてがローレベルを出力する。
【００３６】
事故判別回路４６は、比較器６１ｕ，６１ｖ，６１ｗと、しきい値電圧生成部６２ｕ，６２ｖ，６２ｗと、ＯＲ回路６３と、ＮＯＴ回路６４と、を含む。
【００３７】
比較器６１ｕ，６１ｖ，６１ｗのそれぞれの一方の入力には、電力系統の各相の電圧Ｖｓｕ，Ｖｓｖ，Ｖｓｗが入力される。比較器６１ｕ，６１ｖ，６１ｗのそれぞれの他方の入力には、しきい値電圧生成部６２ｕ，６２ｖ，６２ｗの出力が接続されている。
【００３８】
図４は、本実施形態の電力変換装置の一部の動作波形の例を示す波形図である。
図４には、Ｕ相の正常な電圧Ｖｕ（ｔ）＝Ｖｕ×ｃｏｓ（ωｔ）の時間変化が破線で示されており、合わせてしきい値電圧生成部６２ｕで生成されるしきい値電圧Ｖｔｈｕが実線で示されている。たとえば、しきい値電圧Ｖｔｈｕは、以下のように設定される。
【００３９】
Ｖｔｈｕ＝（１−ｂ）×Ｖｕ（ｔ），０＜ｂ＜１        （１）
【００４０】
ｂは、あらかじめ設定されるバンド幅に応じた係数である。つまり、しきい値電圧Ｖｔｈｕは、Ｕ相の電圧Ｖｕ（ｔ）の正常値から、バンド幅ｂ×Ｖｕ（ｔ）だけ低い電圧である。比較器６１ｕは、入力されるＵ相の電圧Ｖｕ（ｔ）が（１−ｂ）×Ｖｕ（ｔ）よりも低くなった場合に、ハイレベルの信号を出力する。比較器６１ｕの出力はＯＲ回路６３およびＮＯＴ回路６４を介して、ローレベルに反転されて出力される。
【００４１】
他の相の電圧Ｖｖ（ｔ）＝Ｖｖ×ｃｏｓ（ωｔ＋２／３π），Ｖｗ（ｔ）＝Ｖｗ×ｃｏｓ（ωｔ−２／３π）に対しても同様に、しきい値電圧Ｖｔｈｖ，Ｖｔｈｗが設定される。
【００４２】
Ｖｔｈｖ＝（１−ｂ）×Ｖｖ（ｔ），０＜ｂ＜１        （２）
Ｖｔｈｗ＝（１−ｂ）×Ｖｗ（ｔ），０＜ｂ＜１        （３）
【００４３】
電力系統２の各相の電圧Ｖｕ（ｔ），Ｖｖ（ｔ），Ｖｗ（ｔ）のうち少なくともいずれか１つの電圧の瞬時値が、式（１）〜（３）で設定されたしきい値電圧よりも低くなった場合に、事故判別回路４６は、ローレベルの事故判別信号（停止信号）ＦＲを出力する。
【００４４】
事故判別回路４６は、各相の電圧Ｖｕ（ｔ），Ｖｖ（ｔ），Ｖｗ（ｔ）の瞬時値のすべてがしきい値電圧Ｖｔｈｕ，Ｖｔｈｖ，Ｖｔｈｗ以上の場合には、ハイレベルの事故判別信号ＦＲを出力する。
【００４５】
上述したように、事故判別信号ＦＲがローレベルの場合には、ＰＷＭ回路４４は、ローレベルの駆動信号Ｖｇａｔｅを出力する。したがって、すべてのスイッチング素子がオフし、直流系統が接続されている直流端子２１ａ，２１ｂの側からのチョッパセル２２内のコンデンサ３５への充電が停止され、コンデンサ３５の電圧上昇が停止する。
【００４６】
事故判別回路４６がハイレベルの事故判別信号ＦＲを出力する場合には、ＰＷＭ回路４４は通常の動作を行い、スイッチング素子３１，３２は、駆動信号Ｖｇａｔｅに応じたオンオフのタイミングでコンデンサ３５を充放電する。
【００４７】
なお、以下では、事故判別回路が駆動信号Ｖｇａｔｅをローレベルに固定してチョッパセル２２のスイッチング動作を停止することをゲートブロックと呼ぶことがある。また、事故判別回路の論理回路の論理は、上述に限らず適切に設定することができる。たとえば、事故判別信号がローレベルのときに、ＰＷＭ回路がＰＷＭ出力をし、事故判別信号がハイレベルのときに、ゲートブロックするようにしてもよい。
【００４８】
以下では、事故判別信号ＦＲがローレベルの場合に、事故判別回路４６がＰＷＭ回路４４の出力をゲートブロックの状態とし、事故判別信号ＦＲがハイレベルの場合に、ＰＷＭ回路４４がＰＷＭ動作を継続するものとする。
【００４９】
各相の電圧に対するしきい値電圧は、上述に限らず適切に設定することができる。たとえば、バンド幅を一定の値に設定してもよい。この場合には、各相の電圧の瞬時値に代えて実効値を計算し、計算された実効値と一定のバンド幅とを比較するようにしてもよい。
【００５０】
本実施形態の電力変換装置１０の作用および効果について説明する。
本実施形態の電力変換装置１０では、直流電力を交流電力に変換する場合に、電力変換装置１０が供給される直流電流または直流電力が設定されていることがある。このような場合に、出力側の電力系統２に地絡等の事故を生じると、出力することができる交流電力が低下するため、チョッパセル２２のコンデンサ３５の充放電がアンバランスになり、セル電圧Ｖｃｅｌｌが設定よりも高くなることがある。
【００５１】
コンデンサ３５やスイッチング素子３１，３２には許容される最大の電圧が設定されている。そのため、電力変換装置には、これらの最大電圧を超えないようにチョッパセル２２ごとに過電圧を検出し、所定の条件を満たした場合に動作する過電圧保護機能が実装されている。
【００５２】
たとえば、過電圧保護機能は、６×Ｎ個のうちのいずれか１つのコンデンサ３５のセル電圧Ｖｃｅｌｌが規定の最大電圧の１．５倍等となったときに、チョッパセル２２をバイパスする。チョッパセル２２のバイパスとは、上側のスイッチング素子３１をオフさせ、下側のスイッチング素子３２をオンさせることをいう。その後、あらかじめ設定された数のチョッパセル２２のコンデンサで過電圧を検出した場合には、過電圧を検出したチョッパセル２２をバイパスするとともに、すべてのチョッパセル２２の充放電動作を停止する。
【００５３】
コンデンサ３５の両端には、効率低下を回避する観点から放電抵抗等を接続することができないので、過電圧保護機能によって一旦停止した電力変換部２０は、セル電圧Ｖｃｅｌｌが規定値以下に自然放電して低下するまで、動作を再開することができない。自然放電には、数分から数十分を要することがあり、その期間には、電力変換動作は停止される。
【００５４】
本実施形態の電力変換装置１０では、制御部４０は、出力側の各相の電圧Ｖｓｕ，Ｖｓｖ，Ｖｓｗを常時監視している。制御部４０は、これらの相の電圧のうち少なくとも１つがそのしきい値電圧を下回った場合に、電力系統において地絡等の事故を生じたと判別することができる。
【００５５】
事故判別回路４６は、いずれかの相が地絡等の事故を生じたと判別した場合には、セル電圧Ｖｃｅｌｌが過電圧保護機能の動作電圧まで上昇する前に、すべてのチョッパセル２２をゲートブロックにより動作停止させる。したがって、コンデンサ３５への充電が停止され、セル電圧Ｖｃｅｌｌの上昇が停止する。その後、地絡等の事故状態が解消された場合には、過剰に充電されたコンデンサ３５の放電を待つことなく、速やかに電力変換部２０を再起動させることができる。
【００５６】
図５は、直流送電システムを例示するブロック図である。
図５に示すように、直流送電システム１００は、電力系統２ａ，２ｂと、直流送電線６と、電力変換装置１０ａ，１０ｂと、を有する。電力系統２ａは、変圧器４ａを介して電力変換装置１０ａに接続され、電力変換装置１０ａによって直流送電線６の一端に接続されている。直流送電線６の他端には、変圧器４ｂを介して電力変換装置１０ｂに接続され、電力変換装置１０ｂによって電力系統２ｂに接続されている。電力系統２ａの交流電力は、電力変換装置１０ａによって直流電力に変換され、直流送電線６を介して電力変換装置１０ｂに送電される。電力変換装置１０ｂは、直流送電線６によって送電されてきた直流電力を交流電力に変換して電力系統２ｂに連系する。送電は、電力系統２ｂから電力系統２ａに送電する場合にも同様にも同様に行うことができる。
【００５７】
電力変換装置１０ａ，１０ｂは、上述の実施形態において説明した電力変換装置１０と同じ構成を備えている。
【００５８】
たとえば、電力系統２ａから電力系統２ｂに送電する場合には、必要な送電電力に応じて電力変換装置１０ｂの直流電流または直流電力が設定される。このような場合に電力系統２ｂに地絡等の事故が生じた場合には、送電電力の余剰分が電力変換装置１０ｂのチョッパセル２２のコンデンサ３５を過剰に充電し、過大な電圧を印加し得る。
【００５９】
かかる直流送電システム１００は、基幹電力系統において用いられる場合があり、そのような場合に、短時間の地絡事故を生じた場合であっても、チョッパセル２２の過電圧保護機能が動作したときには、長時間の運転停止を余儀なくされるおそれがある。本実施形態の電力変換装置１０（１０ａ，１０ｂ）では、上述したように、電力系統２（２ａ，２ｂ）の各相の電圧を常時監視しており、これらの電圧のうちのいずれかがしきい値電圧よりも低下した場合には、電力変換部２０の動作を即座に停止させることができる。そのため、コンデンサ３５を過大に充電して自然放電を要するような過電圧状態となることがないので、電力変換装置１０は、事故復帰後速やかに再起動して、送電動作を再開することができる。
【００６０】
（第２の実施形態）
図６は、本実施形態に係る電力変換装置を例示するブロック図である。
図７は、本実施形態の電力変換装置の一部を例示するブロック図である。
本実施形態の電力変換装置では、上述した他の実施形態の場合と、事故判別回路の構成が相違する。他の構成要素は同一であり、同一の構成要素には同一の符号を付して詳細な説明を適宜省略する。
【００６１】
図６に示すように、本実施形態の電力変換装置２１０は、電力変換部２０と、制御部２４０と、を備える。制御部２４０は、電力制御回路４２と、ＰＷＭ回路４４と、事故判別回路２４６と、を含む。
【００６２】
図７に示すように、事故判別回路２４６は、ｄｑ演算器２６１と、比較器２６２，２６４と、ディレイ回路２６６と、ＯＲ回路２６８と、を含む。
【００６３】
ｄｑ演算器（第１演算器）２６１には、電力系統２の各相の検出電圧Ｖｓｕ，Ｖｓｖ，Ｖｓｗが入力される。ｄｑ演算器２６１は、各相の検出電圧Ｖｓｕ，Ｖｓｖ，Ｖｓｗに直交座標変換および回転座標変換を施して、ｄ軸出力電圧Ｖｄ、ｑ軸出力電圧Ｖｑ、および零相電圧Ｖ０を出力する。たとえば、ｄｑ演算器２６１は、以下の式（４）の行列式にしたがってｄｑ変換を行う。
【００６４】
【数１】
2019022313.tif 000003
【００６５】
ｄ軸出力電圧Ｖｄおよびｑ軸出力電圧Ｖｑは、互いに直交する電圧ベクトルである。また、式（４）からわかるように、各相の電圧の振幅ａ，ｂ，ｃが等しい場合には、零相成分Ｖ０は０になる。
【００６６】
本実施形態の電力変換装置２１０では、ｄｑ演算器２６１のｄ軸出力電圧Ｖｄまたはｑ軸出力電圧Ｖｑのうちの一方を用いる。この例では、ｄ軸出力電圧Ｖｄを用いて、電力系統２の各相の電圧の地絡等の事故発生の有無を判別する。
【００６７】
ｄｑ演算器２６１のｄ軸出力は、比較器２６２の一方の入力に接続されている。比較器２６２の他方の入力には、しきい値電圧出力部２６３が接続されている。しきい値電圧出力部２６３は、しきい値電圧Ｖｔｈ１を出力する。比較器２６２は、ｄ軸出力電圧Ｖｄとしきい値電圧Ｖｔｈ１とを比較する。比較器２６２は、ｄ軸出力電圧Ｖｄがしきい値電圧Ｖｔｈ１よりも低い場合に、ハイレベルの信号を出力する。比較器２６２は、ｄ軸出力電圧Ｖｄがしきい値電圧Ｖｔｈ１以上の場合には、ローレベルの信号を出力する。
【００６８】
ｄｑ演算器２６１のｄ軸出力は、比較器２６４の一方の入力に接続されている。比較器２６４の他方の入力には、しきい値電圧出力部２６５が接続されている。しきい値電圧出力部２６５は、しきい値電圧Ｖｔｈ２を出力する。しきい値電圧Ｖｔｈ２は、しきい値電圧Ｖｔｈ１よりも高い値に設定されている。比較器２６４は、ｄ軸出力電圧Ｖｄとしきい値電圧Ｖｔｈ２とを比較する。比較器２６４は、ｄ軸出力電圧Ｖｄがしきい値電圧Ｖｔｈ２よりも低い場合に、ハイレベルの信号を出力する。比較器２６４は、ｄ軸出力電圧Ｖｄがしきい値電圧Ｖｔｈ２以上の場合には、ローレベルの信号を出力する。
【００６９】
比較器２６４の出力は、ディレイ回路２６６に接続されている。ディレイ回路２６６は、ディレイ時間設定部２６６ａとＡＮＤ回路２６６ｂとを含む。ディレイ時間設定部２６６ａの出力はＡＮＤ回路２６６ｂの一方の入力接続されている。ＡＮＤ回路２６６ｂの他方の入力には、比較器２６４の出力が直接入力されている。
【００７０】
ＡＮＤ回路２６６ｂは、比較器２６４から直接入力される信号およびディレイ時間設定部２６６ａによって遅延された信号の論理積を出力する。ＡＮＤ回路２６６ｂは、比較器２６４の出力およびディレイ時間設定部２６６ａの出力のいずれもハイレベルである期間にハイレベルの信号を出力する。より具体的には、ＡＮＤ回路２６６ｂは、比較器２６４の出力がハイレベルの場合には、ハイレベルの期間がディレイ時間ｔｄ以上であり、ディレイ時間ｔｄを超えて継続した期間にハイレベルの信号を出力する。ＡＮＤ回路２６６ｂは、比較器２６４の出力がハイレベルの場合であっても、ハイレベルの期間がディレイ時間ｔｄよりも短いときには、ローレベルの信号を出力する。ＡＮＤ回路２６６ｂは、比較器２６４の出力がローレベルの場合には、ローレベルの信号を出力する。つまり、ディレイ回路２６６は、入力された信号がハイレベルの場合に、ディレイ時間設定部２６６ａにおいて設定された遅延時間ｔｄだけ遅延させて出力する。
【００７１】
ＯＲ回路２６８の２つの入力のうち一方の入力には、比較器２６２の出力が接続されている。ＯＲ回路２６８の他方の入力には、ディレイ回路２６６の出力が接続されている。したがって、ＯＲ回路２６８は、比較器２６２から出力される信号およびディレイ回路２６６から出力される信号のうち少なくとも１つがハイレベルの場合に、ハイレベルの信号を出力する。ＯＲ回路２６８は、比較器２６２から出力される信号およびディレイ回路２６６から出力される信号のいずれもがローレベルの場合に、ローレベルの信号を出力する。
【００７２】
ＯＲ回路２６８の出力は、ＡＮＤ回路２６９を介して、ＮＯＴ回路２７０に接続されている。ＡＮＤ回路２６９の他の入力がハイレベルの場合には、ＡＮＤ回路２６９およびＮＯＴ回路２７０によって、ＯＲ回路２６８の出力が反転されて事故判別信号ＦＲとして出力される。
【００７３】
事故判別回路２４６は、比較器２６２，２６４およびディレイ回路２６６によって、電力系統２の各相の電圧レベルを検出することができるので、事故の程度に応じた事故判別信号ＦＲを生成して出力することができる。
【００７４】
事故判別回路２４６は、事故判別信号ＦＲを、上述の条件に他の条件を加味して生成することもできる。この例では、直流電流指令値Ｉｄｃの設定値が高い場合に、事故判別信号ＦＲはローレベルとなることができる。また、事故判別回路２４６は、セル電圧Ｖｃｅｌｌの測定値にもとづいて、ローレベルの事故判別信号ＦＲを出力することができる。
【００７５】
比較器２７１の一方の入力には、直流電流指令値Ｉｄｃが入力される。直流電流指令値Ｉｄｃは、送電されるべき直流電力にしたがって設定されている。送電されるべき直流電力は、電力変換装置１０が直流送電システムに用いられる場合には、たとえば送電計画にもとづいてあらかじめ設定されている。指令値として、直流電流に代えて直流電力が設定されている場合もあり、比較器２７１には、あらかじめ設定されている直流電力指令値を電力変換装置１０に入力される直流電圧Ｖｄｃで除して、直流電流値として入力してもよい。
【００７６】
比較器２７１の他方の入力には、しきい値設定部２７２が接続されている。しきい値設定部２７２は、直流電流指令値Ｉｄｃに関するしきい値Ｉｔｈを有する。比較器２７１は、直流電流指令値Ｉｄｃとしきい値Ｉｔｈとを比較する。比較器２７１は、直流電流指令値Ｉｄｃがしきい値Ｉｔｈ以上の場合には、ハイレベルの信号を出力する。比較器２７１は、直流電流指令値Ｉｄｃがしきい値Ｉｔｈよりも小さい場合にはローレベルの信号を出力する。
【００７７】
しきい値Ｉｔｈは、たとえば電力変換装置２１０の定格電力にもとづいて設定される。電力変換装置２１０の定格出力時の直流電流指令値Ｉｄｃ１（＝１ｐｕ）とした場合に、しきい値Ｉｔｈは、たとえば、０．８×Ｉｄｃ１（＝０．８ｐｕ）のように設定される。つまり、直流電流指令値Ｉｄｃの設定値が、定格出力の８０％以上の場合に、事故判別回路２４６は、ローレベルの事故判別信号ＦＲを出力することができる。直流電流指令値Ｉｄｃの設定値が、定格出力の８０％を下回っている場合には、事故判別回路２４６は、ローレベルの事故判別信号ＦＲを出力することができない。
【００７８】
比較器２７３の一方の入力には、平均セル電圧演算器２４８の出力が接続されている。平均セル電圧演算器２４８は、すべてのチョッパセル２２のセル電圧Ｖｃｅｌｌを入力して、その平均値を計算して出力する。つまり、比較器２７３には、平均セル電圧演算器２４８によって計算された平均値Ｖｃｅｌｌ＿ａｖｅが入力される。比較器２７３の他方の入力には、しきい値電圧出力部２７４が接続されている。しきい値電圧出力部２７４は、しきい値電圧Ｖｔｈ３を有する。比較器２７３は、セル電圧Ｖｃｅｌｌの平均値Ｖｃｅｌｌ＿ａｖｅとしきい値電圧Ｖｔｈ３とを比較する。比較器２７３は、平均値Ｖｃｅｌｌ＿ａｖｅがしきい値電圧Ｖｔｈ３以上の場合に、ハイレベルの信号を出力する。比較器２７３は、平均値Ｖｃｅｌｌ＿ａｖｅがしきい値電圧Ｖｔｈ３よりも低い場合に、ローレベルの信号を出力する。
【００７９】
しきい値Ｖｔｈ３は、電力変換装置１０の過電圧検出機能におけるしきい値よりも低い値に設定されている。しきい値電圧Ｖｔｈ３は、たとえば、平均値Ｖｃｅｌｌ＿ａｖｅの定格値の１．３倍等にあらかじめ設定されている。比較器２７３は、コンデンサ３５の両端電圧の実測値にもとづいて、事故判別信号ＦＲをローレベルにすることができる。
【００８０】
上述では、すべてのチョッパセル２２のコンデンサ３５の両端電圧の平均値をしきい値電圧と比較したが、コンデンサ３５の両端電圧は、アームごとに平均値を求めてしきい値と比較してもよいし、レグ（相）ごとに平均値を求めてしきい値と比較してもよい。
【００８１】
ＯＲ回路２６８の出力、比較器２７１の出力および比較器２７３の出力は、ＡＮＤ回路２６９に接続されている。事故判別回路２４６は、入力された信号のすべてがハイレベルの場合に、事故判別信号ＦＲはローレベルになる。事故判別回路２４６では、入力された信号のうち少なくとも１つがローレベルの場合には、事故判別信号ＦＲはハイレベルになる。
【００８２】
本実施形態の電力変換装置１０の動作について説明する。
図８（ａ）〜図８（ｃ）は、本実施形態の電力変換装置の動作を説明するための波形図の例である。
図８（ａ）〜図８（ｃ）には、それぞれの上段の図には、電力系統２の各相の検出電圧の瞬時値Ｖｓｕ（ｔ），Ｖｓｖ（ｔ），Ｖｓｗ（ｔ）の時間変化が示されており、下段の図には、ｄ軸出力電圧Ｖｄの時間変化がしきい値電圧Ｖｔｈ１，Ｖｔｈ２とともに示されている。この例では、各相の電圧の振幅は等しいものとする。
【００８３】
図８（ａ）には、電力系統２の３線すべてが地絡した場合の動作例が示されている。図８（ａ）に示すように、時刻Ｔ０〜Ｔ１では、電力系統２は正常な電圧を供給している。
【００８４】
時刻Ｔ０〜Ｔ１では、ｄ軸出力電圧Ｖｄは、式（４）より直流成分のみとなり、しきい値Ｖｔｈ１，Ｖｔｈ２よりも高い電圧値を示す。そのため、この期間では、事故判別信号ＦＲは、ハイレベルである。
【００８５】
時刻Ｔ１において、すべての相の電圧が地絡により０Ｖとなると、ｄ軸出力電圧Ｖｄは０Ｖとなり、しきい値Ｖｔｈ１よりも低くなる。そのため、事故判別信号ＦＲは、ローレベルとなる。したがって、ゲートブロックによって、電力変換部２０は、動作を停止する。なお、ｄ軸出力電圧Ｖｄは、しきい値Ｖｔｈ２よりも低く、時刻Ｔ２を経過しても、ＶｄがＶｔｈ２よりも低い期間が継続する。時刻Ｔ１と時刻Ｔ２との間の期間は、ディレイ回路２６６のディレイ時間ｔｄ以上の長さを有している。
【００８６】
図８（ｂ）には、電力系統２の３線のうち２線が地絡した場合の動作例が示されている。この例では、ａおよびｂが０Ｖになった場合が示されているが、他の２線が０Ｖとなっても以下と同様に説明される。
【００８７】
図８（ｂ）に示すように、時刻Ｔ１１において、ａおよびｂの相が地絡により０Ｖとなる。そのため、ｄ軸出力電圧Ｖｄは、式（４）より、以下の（５）式で表される。
【００８８】
【数２】
2019022313.tif 000004
【００８９】
この場合のＶｄは、時刻Ｔ１１以降にわたって、しきい値電圧Ｖｔｈ１よりも高い。Ｖｄは、時刻Ｔ１１以降の時刻に２ωの周波数で振動し、しきい値Ｖｔｈ２よりも低くなる期間がある。
【００９０】
時刻Ｔ１２〜Ｔ１３の期間では、Ｖｄは、しきい値Ｖｔｈ２よりも低くなり、時刻Ｔ１３〜Ｔ１４の期間では、Ｖｄは、しきい値Ｖｔｈ２以上になる。したがって、ＡＮＤ回路２６６ｂは、時刻Ｔ１１以降の期間にわたってローレベルを出力する。なお、ディレイ回路２６６のディレイ時間ｔｄが（Ｔ１２〜Ｔ１３）の期間よりも長く設定されている場合には、比較器２６４の出力がハイレベルになる期間と、ディレイ時間設定部２６６ａの出力がハイレベルになる期間が重なることがない。ＡＮＤ回路２６６ｂは、時刻Ｔ１１以降にわたってローレベルを出力する。
【００９１】
この例では、電力系統２の３線のうち２線が０Ｖとなっても、事故判別回路２４６は、事故判別信号ＦＲはローレベルとならない。そのため、電力変換装置２１０は、動作を継続することができる。
【００９２】
図８（ｃ）には、電力系統２の３線のうち１線が地絡して０Ｖとなった場合の例が示されている。この例では、ａが０Ｖになった場合について示されているが、他の１線が０Ｖとなっても同様に説明される。
【００９３】
図８（ｃ）に示すように、時刻Ｔ２１において、ａが０Ｖになるので、ｄ軸出力電圧Ｖｄは、式（４）より、以下の（６）式で表される。
【００９４】
【数３】
2019022313.tif 000005
【００９５】
この場合のＶｄはしきい値電圧Ｖｔｈ１よりも高い。また、Ｖｄは、時刻Ｔ２１以降しきい値電圧Ｖｔｈ２よりも高い。したがって、事故判別回路２４６では、事故判別信号ＦＲはローレベルとならない。そのため、電力変換装置２１０は動作を継続することができる。
【００９６】
なお、上述の２線地絡や１線地絡の場合には、電力変換装置は動作を継続することができるが、地絡により送電することができる電力は実質的に小さくなる。そのため、このような状態を検出した場合には、送電電力を減らすために直流電流指令値を一時的に下げるようにしてもよい。
【００９７】
また、上述の例では、しきい値電圧Ｖｔｈ１，Ｖｔｈ２の値を適切に設定することによって、地絡する相数や、地絡時の電圧等に応じて、電力変換装置の動作の継続条件および停止条件を任意に設定することができる。
【００９８】
本実施形態の電力変換装置の効果について説明する。
本実施形態の電力変換装置２１０では、事故判別回路２４６を有する制御部２４０を備えている。そして、事故判別回路２４６は、電力系統２の各相の電圧を入力して回転座標変換するｄｑ演算器２６１からｄ軸出力電圧Ｖｄを出力する。ｄ軸出力電圧Ｖｄは、あらかじめ設定されたしきい値Ｖｔｈ１，Ｖｔｈ２と比較され、Ｖｄがこれらよりも低い電圧値のときに、事故判別回路２４６は、事故判別信号ＦＲをローレベルにする。そのため、ゲートブロックによって電力変換部は動作を停止し、セル電圧Ｖｃｅｌｌを過大な電圧値まで充電されることが防止される。したがって、事故状態が解消した後に、コンデンサ３５の放電過程を経ることなく、速やかに電力変換装置は再起動することができる。
【００９９】
事故判別回路２４６は、比較器２７１を有することもできる。比較器２７１は、直流電流指令値Ｉｄｃをしきい値Ｉｔｈと比較して、事故判別信号ＦＲをローレベルにすることができる。
【０１００】
事故前に設定され入力されている直流電力が大きいほど、セル電圧Ｖｃｅｌｌの増加分は、大きくなる傾向にある。たとえば、電力変換装置２１０が直流送電システムに用いられ、直流電力の送電を受けている場合に、大きな電力を融通しているときに、電力系統２の地絡を生ずると、セル電圧Ｖｃｅｌｌの上昇により、過電圧保護機能が動作しやすい。そのため、事故前に融通している電力を表す直流電流指令値Ｉｄｃがしきい値Ｉｔｈよりも大きくなる場合には、過電圧保護機能が動作する前に、電力変換装置の運転を停止する。
【０１０１】
たとえば、しきい値Ｉｔｈを０．８ｐｕとなるように設定すると、事故前の電力融通量が０．８ｐｕを超えたときに、交流電圧の低下を検出して、事故判別信号ＦＲをローレベルにすることができる。
【０１０２】
さらに、事故判別回路２４６は、比較器２７３を有することもできる。比較器２７３は、実際のセル電圧Ｖｃｅｌｌの平均値Ｖｃｅｌｌ＿ａｖｅとしきい値電圧Ｖｔｈ３とを比較して、平均値Ｖｃｅｌｌ＿ａｖｅがしきい値電圧Ｖｔｈ３よりも高い場合に、事故判別信号ＦＲをローレベルにすることができる。
【０１０３】
上述したいずれのしきい値電圧Ｖｔｈ１，Ｖｔｈ２やしきい値Ｉｔｈは、電力系統２の各相の電圧の低下や、融通する直流電力によって、事故後のセル電圧Ｖｃｅｌｌの増加分を見込んであらかじめ設定される。しかしながら、さまざまな状況に応じてセル電圧Ｖｃｅｌｌの増加分はさまざまに変化し、必ずしも見込んだとおりの電圧となるとは限らない。そこで、比較器２７３を用いて、実際のセル電圧Ｖｃｅｌｌにもとづいて、事故判別信号ＦＲを生成し、過電圧保護機能が動作することを回避することができる。
【０１０４】
本実施形態では、事故判別回路２４６が比較器２７１，２７３のいずれか一方、または両方を有する。そのため、不要なゲートブロックによって、電力変換装置が停止することを回避できる。そのため、電力変換装置が基幹電力系統等に用いられた場合に、電力変換装置は、事故復帰後速やかに再起動することが可能になるとともに、不要に停止することを防止し、より安定して電力融通を継続することを可能にする。
【０１０５】
（第３の実施形態）
図９は、本実施形態の電力変換装置の一部を例示するブロック図である。
本実施形態の電力変換装置では、制御部のうち事故判別回路３４６が上述の他の実施形態の場合と相違する。同一の構成要素には同一の符号を付して詳細な説明を適宜省略する。
図９に示すように、事故判別回路３４６は、ｄ軸出力電圧Ｖｄおよびｑ軸出力電圧Ｖｑの合成ベクトルの大きさを演算する合成ベクトル演算器３７５を含む。
【０１０６】
合成ベクトル演算器３７５は、ｄｑ演算器２６１と比較器２６２，２６４との間に接続されている。合成ベクトル演算器３７５には、ｄｑ演算器２６１からｄ軸出力電圧Ｖｄおよびｑ軸出力電圧Ｖｑが供給される。合成ベクトル演算器３７５は、ｄ軸出力電圧Ｖｄおよびｑ軸出力電圧Ｖｑの合成ベクトルの大きさＶｄｑを計算する。
【０１０７】
【数４】
2019022313.tif 000006
【０１０８】
比較器２６２，２６４は、合成ベクトルの大きさＶｄｑとしきい値電圧Ｖｔｈ１，Ｖｔｈ２とをそれぞれ比較し、比較結果にもとづいて事故判別信号ＦＲを生成する。
【０１０９】
合成ベクトルの大きさＶｄｑがしきい値電圧Ｖｔｈ１よりも低い場合には、事故判別回路３４６では、事故判別信号ＦＲはローレベルになる。
【０１１０】
合成ベクトルの大きさＶｄｑがしきい値電圧Ｖｔｈ２よりも低い期間が、あらかじめ設定されたディレイ時間ｔｄ以上継続する場合には、事故判別回路３４６では、事故判別信号ＦＲはローレベルになる。
【０１１１】
電力変換装置は、事故判別信号ＦＲがローレベルとなるので、ゲートブロックされ、動作を停止する。
【０１１２】
なお、第２の実施形態の場合のように、直流電流指令値Ｉｄｃに応じて事故判別信号ＦＲをローレベルにしたり、セル電圧Ｖｃｅｌｌの測定値にもとづいて事故判別信号ＦＲをローレベルにしたりしてもよい。
【０１１３】
本実施形態の電力変換装置の効果について説明する。
本実施形態の電力変換装置は、ｄｑ変換された電圧の合成ベクトルの大きさをしきい値電圧Ｖｔｈ１，Ｖｔｈ２と比較することによって、事故判別信号ＦＲを生成する。電力系統２の潮流には、運用状況によって、有効電力とともに無効電力も含まれる。本実施形態の電力変換装置では、ｄｑ変換された電圧の合成ベクトルの大きさを取得して、しきい値と比較することによって、電力系統２の状況をより詳細に把握して事故判別を行うことができる。
【０１１４】
上述した各実施形態については、複数の形態を組み合わせることができる。たとえば、第１の実施形態の事故判別回路４６に第２の実施形態の事故判別回路２４６を組み合わせてもよいし、第２の実施形態の事故判別回路２４６に第３の実施形態の事故判別回路３４６を組み合わせてもよい。
【０１１５】
以上説明した実施形態によれば、交流側に地絡を生じて動作を停止した場合であっても、事故解消時早急に運転を再開することができる電力変換装置を実現することができる。
【０１１６】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【０１１７】
２，２ａ，２ｂ  電力系統、４，４ａ，４ｂ  変圧器、６  直流送電線、１０，２１０  電力変換装置、２０  電力変換部、２２  チョッパセル、３１，３２  スイッチング素子、３３，３４  ダイオード、３５  コンデンサ、３６  電圧検出器、４０，２４０  制御部、４２  電力制御回路、４４  ＰＷＭ回路、４６，２４６，３４６  事故判別回路、５１−１〜５１−６Ｎ  キャリア信号生成部、５２−１〜５２−６Ｎ  比較器、５３−１〜５３−６Ｎ  ＡＮＤ回路、６１ｕ，６１ｖ，６１ｗ  比較器、６２ｕ，６２ｖ，６２ｗ  しきい値電圧生成部、６３  ＯＲ回路、６４  ＮＯＴ回路、１００  直流送電システム、２６１  ｄｑ演算器、２６２，２６４，２７１，２７３  比較器、２６６  ディレイ回路、３７５  合成ベクトル演算器
【図１】
2019022313.tif 000007
【図２】
2019022313.tif 000008
【図３】
2019022313.tif 000009
【図４】
2019022313.tif 000010
【図５】
2019022313.tif 000011
【図６】
2019022313.tif 000012
【図７】
2019022313.tif 000013
【図８】
2019022313.tif 000014
【図９】
2019022313.tif 000015